(57)【要約】【課題】収容しているワンピースタイプの歯科用インプラントの汚染を抑制できる歯科用インプラントパッケージを提供することである。【解決手段】中容器３内に挿入保持されるケースリング４と、ケースリング４よりも上方に位置しており中容器３の上開口部３４に取り付けられるケースキャップ５と、を備え、ケースリング４の内周面４３は、歯肉接触部２２に当接する当接部４３１を有し、歯科用インプラント２を収容したとき、ケースキャップ５が、人工歯冠保持部２３の上端部２３１に当接して歯肉接触部２２を当接部４３１に押し付けるとともに、中容器３の胴部内周面３１１および底部内面３２１がいずれも、歯槽骨埋入部２１から離れて位置する、歯科用インプラントパッケージ１である。【選択図】図１
0003184171.tif 000002
【実用新案登録請求の範囲】
【請求項１】
歯槽骨埋入部、歯肉接触部および人工歯冠保持部を順に有するワンピースタイプの歯科用インプラントのパッケージであって、
少なくとも前記歯槽骨埋入部および前記歯肉接触部を収容する有底筒状の中容器と、
内周面が少なくとも前記歯肉接触部を囲むように前記中容器内に挿入保持されるケースリングと、
前記ケースリングよりも上方に位置しており前記中容器の上開口部に取り付けられるケースキャップと、
少なくも前記中容器を収容する有底筒状の外容器本体と、
前記外容器本体の上開口部を密栓する外容器キャップと、を備え、
前記ケースリングの前記内周面は、前記歯肉接触部に当接する当接部を有し、
前記歯科用インプラントを収容したとき、前記ケースキャップが、前記人工歯冠保持部の上端部に当接して前記歯肉接触部を前記当接部に押し付けるとともに、前記中容器の胴部内周面および前記中容器の底部内面がいずれも、前記歯槽骨埋入部から離れて位置する、歯科用インプラントパッケージ。
【請求項２】
前記ケースリングは、その外周面に位置している第１段差部をさらに有し、前記中容器は、前記胴部内周面に位置しており前記第１段差部に係合可能な第２段差部を有する、請求項１に記載の歯科用インプラントパッケージ。
【請求項３】
前記ケースリングは、その上面に取り付けられるとともに、前記人工歯冠保持部の外径よりも大きな内径を有するリング状の側壁部をさらに有する、請求項１または２に記載の歯科用インプラントパッケージ。
【請求項４】
前記側壁部は、前記上面と一体に成形されている、請求項３に記載の歯科用インプラントパッケージ。
【請求項５】
前記当接部が、テーパ状である、請求項１〜４のいずれかに記載の歯科用インプラントパッケージ。
【請求項６】
前記ケースリングの下面は、前記歯槽骨埋入部のうち前記歯肉接触部側に位置する端部近傍に位置し、かつ前記ケースリングの内径は、前記歯槽骨埋入部の外径よりも大きい、請求項１〜５のいずれかに記載の歯科用インプラントパッケージ。
【請求項７】
前記ケースリングおよび／または前記ケースキャップの構成材料が、前記歯科用インプラントの構成材料と同一である、請求項１〜６のいずれかに記載の歯科用インプラントパッケージ。
【請求項８】
前記ケースリングおよび／または前記ケースキャップの構成材料が、純チタンまたはチタン合金である、請求項１〜６のいずれかに記載の歯科用インプラントパッケージ。
【請求項９】
前記外容器キャップは、前記外容器本体のネジ部に螺合可能なスクリューキャップである、請求項１〜８のいずれかに記載の歯科用インプラントパッケージ。
【考案の詳細な説明】
【技術分野】
【０００１】
本考案は、ワンピースタイプの歯科用インプラントのパッケージ（包装）に関する。
【背景技術】
【０００２】
歯科インプラント埋植手術において使用される歯科用インプラントとして、１つのパーツで構成されているワンピースタイプが知られている。ワンピースタイプの歯科用インプラントは、滅菌パッケージされた状態で手術場に搬送される。ワンピースタイプの歯科用インプラントのパッケージとして、非特許文献１には、ワンピースタイプの歯科用インプラントを医療用具の滅菌処理に耐え得る材質によって２重にパッケージした構成が開示されている。
【０００３】
しかし、非特許文献１に記載されているような従来のワンピースタイプの歯科用インプラントのパッケージには、収容している歯科用インプラントが搬送中等にパッケージの内面に接触して汚染されるおそれがあった。この汚染の問題は、歯科用インプラントのうち歯槽骨に埋入される部分において特に避ける必要がある。
【０００４】
一方、歯科用インプラントには、上述したワンピースタイプの他に、２つのパーツで構成されているツーピースタイプがある。特許文献１，２には、ツーピースタイプの歯科用インプラントにおけるフィクスチャー、すなわち歯槽骨に埋入される部品を保持する容器が記載されている。この容器は、フィクスチャー端部のアバットメント、すなわち歯肉に接触して人工歯冠を支える部品の取り付け部を利用してフィクスチャーを保持するように構成されている。このような容器を備えるツーピースタイプの歯科用インプラントのパッケージを、上述したワンピースタイプの歯科用インプラントに適用すればよいとも考えられる。
【０００５】
しかし、ワンピースタイプの歯科用インプラントには、アバットメント取り付け部がないため、容器内面との接触を抑制しつつワンピースタイプの歯科用インプラントをツーピースタイプの歯科用インプラントの容器内に保持することは困難である。
【先行技術文献】
【特許文献】
【０００６】
【特許文献１】特開２００８−１２５９８２号公報
【特許文献２】特表２０００−５１２１９４号公報
【非特許文献】
【０００７】
【非特許文献１】“POI System”、５頁、［online］、２０１１年４月、京セラメディカル株式会社、［平成２４年３月２６日検索］、インターネット＜URL:http://www.kyocera-dental.com/pdf/catalog/POI_1P_72.pdf＞
【考案の概要】
【考案が解決しようとする課題】
【０００８】
本考案の課題は、収容しているワンピースタイプの歯科用インプラントの汚染を抑制できる歯科用インプラントパッケージを提供することである。
【課題を解決するための手段】
【０００９】
本考案者は、上記課題を解決すべく鋭意研究を重ねた結果、以下の構成からなる解決手段を見出し、本考案を完成するに至った。
（１）歯槽骨埋入部、歯肉接触部および人工歯冠保持部を順に有するワンピースタイプの歯科用インプラントのパッケージであって、少なくとも前記歯槽骨埋入部および前記歯肉接触部を収容する有底筒状の中容器と、内周面が少なくとも前記歯肉接触部を囲むように前記中容器内に挿入保持されるケースリングと、前記ケースリングよりも上方に位置しており前記中容器の上開口部に取り付けられるケースキャップと、少なくも前記中容器を収容する有底筒状の外容器本体と、前記外容器本体の上開口部を密栓する外容器キャップと、を備え、前記ケースリングの前記内周面は、前記歯肉接触部に当接する当接部を有し、前記歯科用インプラントを収容したとき、前記ケースキャップが、前記人工歯冠保持部の上端部に当接して前記歯肉接触部を前記当接部に押し付けるとともに、前記中容器の胴部内周面および前記中容器の底部内面がいずれも、前記歯槽骨埋入部から離れて位置する、歯科用インプラントパッケージ。
（２）前記ケースリングは、その外周面に位置している第１段差部をさらに有し、前記中容器は、前記胴部内周面に位置しており前記第１段差部に係合可能な第２段差部を有する、前記（１）に記載の歯科用インプラントパッケージ。
（３）前記ケースリングは、その上面に取り付けられるとともに、前記人工歯冠保持部の外径よりも大きな内径を有するリング状の側壁部をさらに有する、前記（１）または（２）に記載の歯科用インプラントパッケージ。
（４）前記側壁部は、前記上面と一体に成形されている、前記（３）に記載の歯科用インプラントパッケージ。
（５）前記当接部が、テーパ状である、前記（１）〜（４）のいずれかに記載の歯科用インプラントパッケージ。
（６）前記ケースリングの下面は、前記歯槽骨埋入部のうち前記歯肉接触部側に位置する端部近傍に位置し、かつ前記ケースリングの内径は、前記歯槽骨埋入部の外径よりも大きい、前記（１）〜（５）のいずれかに記載の歯科用インプラントパッケージ。
（７）前記ケースリングおよび／または前記ケースキャップの構成材料が、前記歯科用インプラントの構成材料と同一である、前記（１）〜（６）のいずれかに記載の歯科用インプラントパッケージ。
（８）前記ケースリングおよび／または前記ケースキャップの構成材料が、純チタンまたはチタン合金である、前記（１）〜（６）のいずれかに記載の歯科用インプラントパッケージ。
（９）前記外容器キャップは、前記外容器本体のネジ部に螺合可能なスクリューキャップである、前記（１）〜（８）のいずれかに記載の歯科用インプラントパッケージ。
【考案の効果】
【００１０】
本考案によれば、収容しているワンピースタイプの歯科用インプラントのうち特に汚染の抑制が必要な歯槽骨埋入部の汚染を抑制できるという効果がある。
【図面の簡単な説明】
【００１１】
【図１】本考案の一実施形態に係る歯科用インプラントパッケージを示す図であり、ワンピースタイプの歯科用インプラントを収容している状態を示す概略説明図である。
【図２】図１に示す歯科用インプラントパッケージに収容されているワンピースタイプの歯科用インプラントを示す概略説明図である。
【図３】図１に示す歯科用インプラントパッケージを示す概略断面説明図である。
【考案を実施するための形態】
【００１２】
以下、本考案の一実施形態に係る歯科用インプラントパッケージ（以下、「パッケージ」と言うことがある。）について、図１〜図３を参照して詳細に説明する。
【００１３】
図１に示すように、本実施形態のパッケージ１は、歯科用インプラント２を収容するものである。本実施形態の歯科用インプラント２は、図２に示すように、歯槽骨埋入部２１、歯肉接触部２２および人工歯冠保持部２３を順に有するワンピースタイプである。
【００１４】
本実施形態の歯槽骨埋入部２１は、患者の歯槽骨に埋入される部位であり、その外周面に図示しないネジ部を有する。本実施形態の歯肉接触部２２は、患者の歯肉に接触する部位であり、歯槽骨埋入部２１に接続している。また、本実施形態の歯肉接触部２２は、その外周面が外方に凸の曲線状であり、歯槽骨埋入部２１から離れるにつれて、その外径が大きくなっている。本実施形態の人工歯冠保持部２３は、人工歯冠を保持する部位であり、歯肉接触部２２に接続しているとともに、歯肉接触部２２から離れるにつれて、その外径が小さくなっている。
【００１５】
このような歯科用インプラント２をパッケージする本実施形態のパッケージ１は、図１および図３に示すように、中容器３、ケースリング４、ケースキャップ５、外容器本体６、および外容器キャップ７を備えている。
【００１６】
本実施形態の中容器３は、歯科用インプラント２のうち少なくとも歯槽骨埋入部２１および歯肉接触部２２を収容する有底筒状の部材である。本実施形態の中容器３は、歯科用インプラント２のうち歯槽骨埋入部２１から人工歯冠保持部２３の一部までを収容する。また、本実施形態の中容器３は、略円筒状の胴部３１および略円盤状の底部３２を有する。本実施形態では、胴部３１および底部３２を一体に成形している。なお、胴部３１および底部３２は、必要に応じて、別々の部材で構成して組み立てるようにしてもよい。
【００１７】
本実施形態のケースリング４は、中容器３の内部に挿入保持される略円環状の部材である。本実施形態のケースリング４は、その外周面４１に位置している第１段差部４２を有する。また、上述した本実施形態の中容器３は、胴部３１の内周面３１１に位置しており、第１段差部４２に係合可能な第２段差部３３をさらに有する。本実施形態では、これら第１段差部４２および第２段差部３３を互いに係合させることによって、ケースリング４を中容器３の内部に保持する。そして、本実施形態では、中容器３の内部に挿入保持されたケースリング４は、その内周面４３が、少なくとも歯肉接触部２２を囲むように位置する。
【００１８】
また、本実施形態のケースリング４は、その上面４４に取り付けられるとともに、人工歯冠保持部２３の外径よりも大きな内径を有するリング状の側壁部４５をさらに有する。このような構成によれば、側壁部４５および人工歯冠保持部２３の間に隙間４５１を形成できることから、パッケージ１を開封した後、歯科用インプラント２を把持して取り出す器具を隙間４５１に挿入することができる。その結果、歯科医師等が手指にて歯科用インプラント２を把持する必要がなく、手術時の歯科用インプラント２の取り扱いを容易にすることができる。
【００１９】
本実施形態の側壁部４５は、その外径が、中容器３の内径よりも若干大きい。このような構成によれば、ケースリング４を圧入状態で中容器３の内部に挿入保持することができる。なお、本実施形態では、側壁部４５を上面４４と一体に成形している。
【００２０】
本実施形態のケースキャップ５は、ケースリング４よりも上方に位置しており、中容器３の上開口部３４に取り付けられる部材である。本実施形態のケースキャップ５は、略円盤状の天板部５１、および天板部５１に接続している略円筒状の筒部５２を有する。本実施形態のケースキャップ５は、筒部５２の下端部５２１近傍を中容器３の上開口部３４に挿入した状態で、中容器３に取り付けられる。
【００２１】
本実施形態の外容器本体６は、少なくも中容器３を収容する有底筒状の部材である。本実施形態の外容器本体６は、中容器３に加えて、ケースキャップ５の一部も収容する。また、外容器本体６には密封性が要求されることから、本実施形態では、外容器本体６を一体に成形している。
【００２２】
本実施形態の外容器キャップ７は、外容器本体６の上開口部６１を密栓することによって、外容器本体６とともに密閉容器を構成する部材である。本実施形態の外容器キャップ７は、外容器本体６が有するネジ部６２に螺合可能なスクリューキャップである。
【００２３】
ここで、本実施形態では、上述したケースリング４の内周面４３が、歯肉接触部２２に当接する当接部４３１を有する。本実施形態の当接部４３１は、テーパ状である。そして、本実施形態のパッケージ１は、歯科用インプラント２を収容したとき、以下の（Ｉ）および（II）の収容状態になる。
【００２４】
（Ｉ）ケースキャップ５が、人工歯冠保持部２３の上端部２３１に当接し、歯肉接触部２２を当接部４３１に押し付ける。より具体的には、ケースキャップ５のうち天板部５１の下面５１１が、人工歯冠保持部２３の上端部２３１に当接し、歯肉接触部２２を当接部４３１に押し付ける。
（II）中容器３において、胴部３１の内周面３１１および底部３２の内面３２１がいずれも、歯槽骨埋入部２１から離れて位置する。
【００２５】
このような（Ｉ）および（II）の収容状態によれば、次のような効果が得られる。すなわち、胴部３１の内周面３１１および底部３２の内面３２１がいずれも、歯槽骨埋入部２１から離れて位置することから、収容している歯科用インプラント２のうち特に汚染の抑制が必要な歯槽骨埋入部２１の汚染を抑制することが可能となる。また、ケースキャップ５が、人工歯冠保持部２３の上端部２３１に当接して歯肉接触部２２を当接部４３１に押し付けることから、歯科用インプラント２を安定した状態でパッケージ１内に収容保持することが可能となる。したがって、例えば搬送中等にパッケージ１が振動したとしても、歯槽骨埋入部２１が内周面３１１および内面３２１に接触するのを抑制でき、結果として歯槽骨埋入部２１の中容器３との接触による汚染を抑制することが可能となる。さらに、パッケージ１を構成する部材のうち中容器３、外容器本体６および外容器キャップ７は、従来のツーピースタイプの歯科用インプラントパッケージの対応する部材で構成することができ、それゆえコストを低減することができる。
【００２６】
本実施形態では、ケースキャップ５において、天板部５１の下面５１１および筒部５２の下端部５２１の間の距離Ｌを、次のような長さに構成している。すなわち、本実施形態では、天板部５１の下面５１１が人工歯冠保持部２３の上端部２３１に当接したとき、ケースキャップ５が歯科用インプラント２を矢印Ａに示す下方に押し付けることができる長さに距離Ｌを構成している。したがって、本実施形態では、歯科用インプラント２を収容したとき、ケースキャップ５が歯科用インプラント２を下方に押し付けるように機能することから、結果として上述した（Ｉ）の収容状態になる。
【００２７】
また、本実施形態では、ケースリング４の下面４６が、歯槽骨埋入部２１のうち歯肉接触部２２側に位置する端部２１１近傍に位置し、かつその内径が、歯槽骨埋入部２１の外径よりも大きい。このような構成によれば、ケースリング４の下面４６近傍が歯槽骨埋入部２１から離れて位置することから、ケースリング４が歯槽骨埋入部２１に接触するのを抑制しつつ、ケースリング４を肉厚にしてケースリング４の強度を向上させることができる。
【００２８】
一方、上述した歯科用インプラント２の構成材料としては、例えば純チタン、チタン合金等が挙げられる。本実施形態では、ケースリング４の構成材料を、歯科用インプラント２の構成材料と同一にしている。このような構成によれば、ケースリング４から摩耗粉等が発生して歯科用インプラント２に付着したとしても、歯科用インプラント２が汚染されるのを抑制することができる。同様の観点から、本実施形態では、ケースキャップ５の構成材料を、歯科用インプラント２の構成材料と同一にしている。同一とは、実質的に同一であることを意味するものとする。なお、ケースリング４およびケースキャップ５のうち一方の構成材料のみが、歯科用インプラント２の構成材料と同一であってもよい。また、ケースリング４およびケースキャップ５のそれぞれの構成材料が、歯科用インプラント２の構成材料と異なっていてもよい。
【００２９】
上述した中容器３、外容器本体６および外容器キャップ７の構成材料としては、例えばポリエチレン、ポリプロピレン、ポリスチレン等の合成樹脂が挙げられる。例示したこれらの合成樹脂は、ガンマ線滅菌等の医療用具の滅菌処理に耐え得る材質であるのが好ましい。
【００３０】
次に、本考案の一実施形態に係るパッケージ手順ついて説明する。本実施形態のパッケージ手順は、以下の（ｉ）〜（iv）の手順を備える。
【００３１】
（ｉ）まず、中容器３の内部にケースリング４を挿入保持し、ケースリング４に歯科用インプラント２を挿通する。
（ii）次に、ケースキャップ５を中容器３の上開口部３４に取り付け、中容器３およびケースキャップ５の一部を外容器本体６に収容する。
（iii）外容器本体６の上開口部６１を外容器キャップ７によって密栓し、パッケージ１を得る。
（iv）最後に、パッケージ１に滅菌処理を行う。
【００３２】
なお、（ｉ）〜（iv）の各手順は、上述した順序に限定されるものではなく、滅菌処理されたパッケージ１が得られる限り、適宜順序を変更することができる。例えば、（ｉ）の手順では、まず、歯科用インプラント２をケースリング４に挿通し、次に、歯科用インプラント２とともにケースリング４を中容器３の内部に挿入保持してもよい。
【００３３】
（iv）の手順における滅菌処理としては、例えば放射線滅菌処理等が挙げられる。放射線滅菌処理は、例えばパッケージ１にガンマ線または電子線を照射することによって行うことができる。
【符号の説明】
【００３４】
１  歯科用インプラントパッケージ
２  歯科用インプラント
２１  歯槽骨埋入部
２１１  端部
２２  歯肉接触部
２３  人工歯冠保持部
２３１  上端部
３  中容器
３１  胴部
３１１  内周面
３２  底部
３２１  内面
３３  第２段差部
３４  上開口部
４  ケースリング
４１  外周面
４２  第１段差部
４３  内周面
４３１  当接部
４４  上面
４５  側壁部
４５１  隙間
４６  下面
５  ケースキャップ
５１  天板部
５１１  下面
５２  筒部
５２１  下端部
６  外容器本体
６１  上開口部
６２  ネジ部
７  外容器キャップ
【図１】
0003184171.tif 000003
【図２】
0003184171.tif 000004
【図３】
0003184171.tif 000005